(57)【要約】【課題】壁面に設置する場合に取付穴を開設することなく表面に貼設することができ、しかも表示体との間に所定の距離を確保することなく光源に発光ダイオードを用いた場合であっても表示体全体を光源の色に変色させ、側方から見る人にも点灯していることが分かる表示器具を提供する。【解決手段】板状体の表面６０に貼設することが可能な突起状の表示器具１であって、光拡散性を有する樹脂組成物からなる表示体１０と、内部表示体３０に内設され表層部表示体４０の表面４４に対し平行若しくは傾斜する方向に照射する発光ダイオード５０とを備えた構成とした。【選択図】図１
2008250293.tif 000002
【特許請求の範囲】
【請求項１】
板状体の表面に貼設することが可能な突起状の表示器具であって、光拡散性を有する樹脂組成物からなる表示体と、前記表示体に内設され前記表示体の表面に対し平行若しくは傾斜する方向に照射する発光ダイオードとを備えたことを特徴とする表示器具。
【請求項２】
エレベータのホール側等に面して埋設された光拡散性を有する樹脂組成物を用いた表示器具であって、前記樹脂組成物からなる表示体と、前記表示体に内設され前記表示体の表面に対し平行若しくは傾斜する方向に照射する発光ダイオードとを備えたことを特徴とする表示器具。
【請求項３】
前記光拡散性を有する樹脂組成物が乳白アクリル樹脂であることを特徴とする請求項１若しくは２に記載の表示器具。
【請求項４】
前記表示器具は、エレベータが運行するエレベータホールに使用されるホールランタンであることを特徴とする請求項１乃至３のいずれかに記載の表示器具。
【請求項５】
前記表示器具は、エレベータが運行するエレベータホールに使用されるインジケータであることを特徴とする請求項１乃至３のいずれかに記載の表示器具。
【請求項６】
エレベータの乗りかご内の壁面・天井等に埋設された光拡散性を有する樹脂組成物を用いた表示器具であって、前記樹脂組成物からなる表示体と、前記表示体に内設され前記表示体の表面に対し平行若しくは傾斜する方向に照射する発光ダイオードとを備えたことを特徴とする表示器具。
【請求項７】
エレベータの乗りかご内の壁面・天井等に埋設された光拡散性を有する樹脂組成物を用いた照明器具であって、前記樹脂組成物からなる表示体と、前記表示体に内設され前記表示体の表面に対し平行若しくは傾斜する方向に照射する発光ダイオードとを備えたことを特徴とする照明器具。
【請求項８】
エレベータの乗りかご内の壁面・天井等に設置することが可能な表示器具であって、光拡散性を有する樹脂組成物からなる表示体と、前記表示体に内設され前記表示体の表面に対し平行若しくは傾斜する方向に照射する発光ダイオードとを備えたことを特徴とする表示器具。
【発明の詳細な説明】
【技術分野】
【０００１】
本発明は、発光ダイオードを使用した表示器具に関し、更に詳しくはエレベータが運行するエレベータホールの壁面に貼設することができる表示器具、エレベータのホール側等に面して埋設された樹脂組成物を用いた表示器具等に関するものである。
【背景技術】
【０００２】
エレベータが運行するエレベータホールの壁面には、図７に示すような通常ホールランタン１０１と呼ばれる表示器具が各エレベータ１０２の出入口１０３の上壁１０４若しくは側壁１０５等に設置されている。このホールランタン１０１は、側壁１０５に設置されている乗場釦１０６を押すことで、各エレベータ１０２に設置されている中のひとつが点灯若しくは点滅（以下単に「点灯」という。）し、どのエレベータ１０２が最も早く来るかを表示すると共にエレベータ１０２が到着したことを知らせるものであり、エレベータホール１０７にいる全ての人に点灯している状態を分からせる必要がある。そのためホールランタン１０１が点灯する場合には、ホールランタン１０１の壁面より突出している部分１０９を光源の色に変色させ、正面にいる人だけでなく側方にいる人にも点灯している状態が確認できるようにする必要がある。
【０００３】
従来、このホールランタン１０１は、図８、図９に示す通り、壁面１１１に開設された取付穴１１２に嵌め込まれたケース１１３の底面１１４に光源として光が拡散するランプ１１５を配設し、ケース１１３を閉塞するように突起状の樹脂からなる表示体１０８が組み込まれたケース蓋１１６を嵌め込む構造を採用していた。これにより表示体１０８とランプ１１５との間に所定の距離を確保して表示体１０８全体をランプ１１５の色に変色させようとしていた。しかし、表示体１０８に使用されている樹脂が透明のアクリル樹脂であると、正面から見る人にはランプ１１５により表示体１０８が変色していることが分かり、ホールランタン１０１の点灯を確認できるが、側方から見る人には表示体１０８の壁面より突出している部分１０９の変色が分かり難く、ホールランタン１０１の点灯を確認することが難しいとの不具合があった。
【０００４】
この問題を解決するため下記特許文献１には、表示体１０８の材料として光拡散性を有する樹脂を使用することが提案されていて、この樹脂を使用し表示体１０８との間の距離を確保してランプ１１５を照射すると表示体１０８全体を変色させることが可能となり、表示体１０８の壁面より突出している部分１０９を側方から見ても変色していることが分かり、どの位置から見てもホールランタン１０１の点灯を確認できるようになった。従って、ホールランタン１０１を設置するには表示体１０８とランプ１１５との間に所定の距離を確保するため壁面１１１に取付穴１１２を開設することは必須であり、工事が大掛かりとなり、後日ホールランタン１０１を設置する場合、工事費が嵩むとの不具合を有していた。
【０００５】
また、図１０に示すとおり、近年光源にランプ１１５の代替として薄い発光ダイオード１２１を用いることが行われており、これによりホールランタン１０１の奥行きをｈ２に薄くすることができ、図９に示すランプ１１５の場合の奥行きｈ１と比較し、発光ダイオード１２１に変更した分（ｈ１−ｈ２）だけ薄くすることが可能となった。しかし、ホールランタンの奥行きを薄くするため発光ダイオードの周囲を直接突起状の表示体で覆うと、前述の光拡散性を有する樹脂を使用した場合であっても、一般に使用されている従来の発光ダイオードは指向性が高く前方に向かって照射するので前面部しか変色せず、正面から見る人には表示体が点灯していることが分かるが、側方から見る人には表示体が点灯していることが分かり難くいとの不具合は解決できなかった。よって、発光ダイオードを使用した場合でも壁面に取付穴を開設して表示体との間に所定の距離を確保する必要があり、ホールランタンの奥行きを薄くするにも限界があった。
【０００６】
更に、図１１に示す通り、エレベータ１０２のホール１０７側及び出入口１０３側に面した乗場三方枠１３１に埋設された樹脂組成物１３２を表示体１０８として用いてホールランタン１０１とする場合、光源にランプ１１５を用いると表示体１０８とランプ１１５との間に所定の距離を確保するため、ランプ１１５の設置場所を設ける必要があり、狭い場所で設置するのに不具合があった。また、従来の発行ダイオードを使用すると指向性が高いため、表示体１０８に内設すると、正面であるエレベータ１０２の出入口１０３側から見る人には表示体１０８が点灯していることが分かるが、側面であるホール１０７側から見る人には表示体１０８が点灯していることが分かり難くいとの不具合があった。
【０００７】
【特許文献１】特開２００５−２４７９９９
【発明の開示】
【発明が解決しようとする課題】
【０００８】
本発明は上述の不具合点を解決するためになされたものであって、その目的とするところは、壁面に設置する場合に取付穴を開設することなく表面に貼設することができ、しかも光源に発光ダイオードを用いた場合であって表示体との間に所定の距離を確保することなく表示体全体を光源の色に変色させ、側方から見る人にも点灯していることが分かる表示器具を提供することである。
【０００９】
また、別の目的は、エレベータのホール側等に面した乗場三方枠・ホールの壁面・乗りかご内の壁面等に埋設された樹脂組成物を表示体とし、しかも光源に発光ダイオードを用いた場合であっても、表示体と発光ダイオードとの間に所定の距離を確保することなく表示体全体を光源の色に変色させ、正面から見る人だけでなく、側方から見る人にも点灯していることが分かる表示器具若しくは照明器具を提供することである。
【００１０】
また、別の目的は、エレベータの乗りかご内に表示器具・照明器具等を設置する場合に、簡易な工事により設置することが可能な奥行きが浅い表示器具・照明器具等を提供することである。
【課題を解決するための手段】
【００１１】
上記目的を達成するため、本発明の請求項１に係る表示器具は、板状体の表面に貼設することが可能な突起状の表示器具であって、光拡散性を有する樹脂組成物からなる表示体と、前記表示体に内設され前記表示体の表面に対し平行若しくは傾斜する方向に照射する発光ダイオードとを備えたことを特徴とするものである。
【００１２】
また、本発明の請求項２に係る表示器具は、エレベータのホール側等に面して埋設された光拡散性を有する樹脂組成物を用いた表示器具であって、前記樹脂組成物からなる表示体と、前記表示体に内設され前記表示体の表面に対し平行若しくは傾斜する方向に照射する発光ダイオードとを備えたことを特徴とするものである。
【００１３】
また、本発明の請求項３に係る表示器具は、請求項１若しくは２に記載の表示器具であって、光拡散性を有する樹脂組成物が乳白アクリル樹脂であることを特徴とするものである。
【００１４】
また、本発明の請求項４に係る表示器具は、請求項１乃至３のいずれかに記載の表示器具であって、表示器具はエレベータが運行するエレベータホールに使用されるホールランタンであることを特徴とするものである。
【００１５】
また、本発明の請求項５に係る表示器具は、請求項１乃至３のいずれかに記載の表示器具であって、表示器具はエレベータが運行するエレベータホールに使用されるインジケータであることを特徴とするものである。
【００１６】
また、本発明の請求項６に係る表示器具は、エレベータの乗りかご内の壁面・天井等に埋設された光拡散性を有する樹脂組成物を用いた表示器具であって、前記樹脂組成物からなる表示体と、前記表示体に内設され前記表示体の表面に対し平行若しくは傾斜する方向に照射する発光ダイオードとを備えたことを特徴とするものである。
【００１７】
また、本発明の請求項７に係る照明器具は、エレベータの乗りかご内の壁面・天井等に埋設された光拡散性を有する樹脂組成物を用いた照明器具であって、前記樹脂組成物からなる表示体と、前記表示体に内設され前記表示体の表面に対し平行若しくは傾斜する方向に照射する発光ダイオードとを備えたことを特徴とするものである。
【００１８】
また、本発明の請求項８に係る表示器具は、エレベータの乗りかご内の壁面・天井等に設置することが可能な表示器具であって、光拡散性を有する樹脂組成物からなる表示体と、前記表示体に内設され前記表示体の表面に対し平行若しくは傾斜する方向に照射する発光ダイオードとを備えたことを特徴とするものである。
【発明の効果】
【００１９】
上記構成を備えた請求項１に係る表示器具は、表示体に発光ダイオードが内設されていて、表示体と発光ダイオードとの間に所定の距離が設けられていない。従って、表示器具を設置するときに取付穴を開設することなくエレベータホールの壁面等の板状体の表面に貼設することができ、簡易な工事により設置できるので工事費を低減することができる。
【００２０】
また、請求項２に係る表示器具は、エレベータのホール側等に面した乗場三方枠やホールの壁面等に樹脂組成物を埋設した場合、この樹脂組成物を表示体として用いることができ、しかも光源に発光ダイオードを用いた場合であっても、発光ダイオードを表示体に内設できるので、光源の設置場所の確保が不要となり、狭い場所に設置することができると共に、簡易な工事により設置できるので工事費を低減することができる。
【００２１】
また、請求項１若しくは２に係る表示器具は、表示体に内設されている発光ダイオードが、表示体の表面に対し平行若しくは傾斜する方向に照射し、しかも表示体は光拡散性を有する樹脂で成形されているので、発光ダイオードを被覆している表示体の周辺部も変色させることができる。従って、正面から見る場合はもちろん、側方から見る場合であっても表示体の変色が分かり、どの角度から見ても表示器具の点灯を確認することができる。
【００２２】
しかも請求項３に示す表示器具のように、表示体に光拡散性を有する樹脂として乳白アクリル樹脂を使用すると、光源として使用している発光ダイオードが透けて見えないので外観を向上することができ、更に請求項４乃至５に示すように、それらの表示器具は、エレベーホールの壁面等に設置するホールランタン若しくはインジケータに使用するのに好適である。
【００２３】
更に、請求項６若しくは７に記載する表示器具のように、エレベータの乗りかご内の壁面・天井等に埋設された光拡散性を有する樹脂組成物を表示体とし、その表示体の表面に対し平行若しくは傾斜する方向に照射する発光ダイオードを光源として表示体に内設すると、光源の設置場所の確保が不要となり、表示器具を狭い場所で設置することができ、しかも乗りかご内の壁面・天井等に埋設されている樹脂組成物を表示体として利用するので、簡易な工事で設置でき工事費を低減することができる。
【００２４】
また、請求項８に記載する表示器具のように、発光ダイオードが表示体に内設されていると、光源の設置場所の確保が不要となるので奥行きを浅くすることができ、エレベータの乗りかご内の壁面に貼設することができ、また壁面に埋め込む場合でも浅い凹部を形成することで設置できるので、簡易な工事により設置でき工事費を低減することができる。
【発明を実施するための最良の形態】
【００２５】
以下に図面を参照して、この発明の好適な実施の形態を例示して説明する。ただし、この発明の範囲は、特に限定的記載がない限り、この実施の形態に記載されている内容に限定する趣旨のものではない。
【００２６】
第１実施態様：
図１は、本発明に係る表示器具であるホールランタンの分解斜視図を示しており、図２は、図１のホールランタンの側面図であり、図３は組み立てられた状態を正面及び側面から見た説明図である。
【００２７】
本発明に係るホールランタン１は、表示体１０と、基部２０と、発光ダイオード５０とを備えている。
【００２８】
表示体１０は、内部表示体３０及び表層部表示体４０が一体に成形されており、内部表示体３０及び表層部表示体４０共に、中央部に遮光を目的とした金属製の仕切り４３を挟んで上側表示体１０Ａと下側表示体１０Ｂとが接合されている。表示体１０の材質としては、光拡散性を有する乳白アクリル樹脂を用いるのが好適である。この乳白アクリル樹脂としては、一般に市販されているものを使用することができ、例えば、日東樹脂工業株式会社製のＤＲ−IV  Ｔ２―ＡＸを使用することができる。なお、仕切り４３を挿入しない場合には、上側表示体１０Ａと下側表示体１０Ｂとの接合界面に遮光性塗料を塗布して両者（１０Ａ，１０Ｂ）を直接接合すると良い。
【００２９】
基部２０は、金属製であって、板状体である例えばエレベータホールの壁の表面６０に螺子６１で固定し、内部表示体３０を嵌合させて表示体１０を設置することができるようにするものであって、壁面６０に密接させて固定するための螺子穴２３が形成されている底面２１と、底面２１と直角に一体に成形されている周面２２とからなり、周面２２のうちの上周面２２Ａと下周面２２Ｂには、嵌合された内部表示体３０を固定するためのビス穴２４が形成されている。
【００３０】
内部表示体３０は、基部２０に内嵌することができる大きさに成形されていて、基部２０の底面２１と接する裏面３１側には、上側内部表示体３０Ａ及び下側内部表示体３０Ｂ共に中央部に各１箇所、後述する発光ダイオード５０を嵌合させる嵌合穴部３２が形成されている。嵌合穴部３２は、表層部表示体４０側の発光ダイオード５０の照射部５１が嵌合される内部嵌合穴部３２Ａと裏面３１側の発光ダイオード５０の基盤５２が嵌合される裏面側嵌合穴部３２Ｂから構成されている。なお、内部表示体３０の上面３３Ａ側と下面３３Ｂ側には、上述の基部２０のビス穴２４に対応するビス穴３４が形成されている。
【００３１】
表層部表示体４０は、内部表示体３０を基部２０に内嵌させた状態において基部２０と外形が同じ大きさになるように内部表示体３０より大きく成形されている。
【００３２】
発光ダイオード５０は、上側内部表示体３０Ａ及び下側内部表示体３０Ｂの各中央部に形成されている嵌合穴部３２に嵌合され、照射部５１が表層部表示体４０の表面４４に向かって照射すると共に表面４４に対して平行もしくは傾斜する方向にも照射する。このような発光ダイオード５０としては、一般に市販されているものを使用することができ、例えば、ＴＤＯグラフィックス株式会社製のシャイニングアイ（Ｌ）を使用することができる。即ち、発光ダイオード５０は、内部表示体３０に嵌合された状態において、照射部５１が内部嵌合穴部３２Ａの前面部３５を照射すると共に、内部嵌合穴部３２Ａの周辺部３６をも照射するものである。
【００３３】
上記構成のホールランタン１をエレベータホールの壁面６０に設置するには、まず初めに基部２０を壁面６０に螺子６１で固定し、次いで表層部表示体４０と一体となった内部表示体３０の各中央部に形成されている嵌合穴部３２に発光ダイオード５０を各々裏面３１側から嵌合させた後、発光ダイオード５０が嵌合されている内部表示体３０を基部２０に内嵌させ、最後にビス６２で基部２０と内部表示体３０を固定することにより行う。よって、壁面６０に取付穴を開設する必要がなくホールランタン１を容易に壁面６０に貼設することが可能となる。
【００３４】
また、発光ダイオード５０は、内部表示体３０に嵌合された状態において、照射部５１が内部嵌合穴部３２Ａの前面部３５を照射すると共に、内部嵌合穴部３２Ａの周辺部３６をも照射するので、内部表示体３０の全体が発光ダイオード５０の色に変色し、それにより内部表示体３０と一体成形されている表層部表示体４０全体が発光ダイオード５０の色に変色する。よって、ホールランタン１の点灯を確認するとき、正面から見る場合はもちろん、側方から見る場合であっても表示体１０が発光ダイオードの色に変色しているのが分かり、どの角度からでも点灯を確認することができる。
【００３５】
第２実施態様：
第２実施態様の表示器具は、第１実施態様と発光ダイオード５０が異なる以外は、構成が同じであるので異なる部分について説明する。
【００３６】
第２実施態様の発光ダイオード５０は、図２に示す通り、上側内部表示体３０Ａ及び下側内部表示体３０Ｂの各中央部に形成されている嵌合穴部３２に嵌合された状態において、照射部５１が表層部表示体４０の表面４４に対して平行もしくは傾斜する方向にのみ照射するものである。即ち、発光ダイオード５０は、内部表示体３０に嵌合された状態において、照射部５１が内部嵌合穴部３２Ａの前面部３５を照射するものではなく、内部嵌合穴部３２Ａの周辺部３６のみを照射するものである。
【００３７】
したがって、第２実施態様の場合には、発光ダイオード５０は、内部表示体３０に嵌合された状態において、照射部５１が内部嵌合穴部３２Ａの前面部３５を照射するものではなく、内部嵌合穴部３２Ａの周辺部３６のみを照射するので、内部表示体３０の周辺部３６が発光ダイオード５０の色に変色し、それにより内部表示体３０と一体成形されている表層部表示体４０全体が発光ダイオード５０の色に変色する。よって、ホールランタン１の点灯を確認するとき、正面から見る場合はもちろん、側方から見る場合であっても表示体１０が発光ダイオードの色に変色しているのが分かり、どの角度からでも点灯を確認することができる。
【００３８】
第３実施態様：
第３実施形態の表示器具は、エレベータのホール側及び出入口側に面した乗場三方枠に埋設された樹脂組成物を表示体とした表示器具１をホールランタンとして用いた場合であり、図４は、ホールランタンが取付けられているエレベータの乗り場周辺を示した斜視図、図５は、ホールランタンを乗場三方枠に取付けた状態を上方より見た説明図である。尚、ホールランタン１は、第１実施態様と同じく表示体１０と発光ダイオード５０とを備えているが、表示体１０の構成が異なり、発行ダイオード５０の構成は同じであるので、以下表示体１０について説明する。
【００３９】
図４、図５に示す通り、表示体１０は、エレベータ７１の出入口７２の左右両側及び上方の端部に設けられている乗場三方枠７３の左側枠７３Ａの一部として、出入口７２側とホール７４側とに面して埋設されている。
【００４０】
表示体１０は、垂直方向の中央部に遮光を目的とした金属製の仕切り４３を挟んで、上側表示体１０Ａと下側表示体１０Ｂとが接合されている。また、表示体１０は、ホール７４側に突設された突設部１１を有すると共に、反ホール側に、表示体１０を螺子６２で壁に固定するための凹部１２が形成されている。更に、出入口７２側に面している表面１４とは反対の裏面１５には、上側表示体１０Ａ及び下側表示体１０Ｂ共に中央部に各１箇所（図では、上側表示体１０Ａのみ示している。）、発光ダイオード５０を嵌合させる嵌合穴部１６が形成されている。嵌合穴部１６は、表面１４側の発光ダイオード５０の照射部５１が嵌合される内部嵌合穴部１６Ａと裏面１５側の発光ダイオード５０の基盤５２が嵌合される裏面側嵌合穴部１６Ｂとから構成されている。表示体１０の材質としては、光拡散性を有する乳白アクリル樹脂を用いるのが好適である。この乳白アクリル樹脂としては、一般に市販されているものを使用することができ、例えば、日東樹脂工業株式会社製のＤＲ−IV  Ｔ２―ＡＸを使用することができる。なお、仕切り４３を挿入しない場合には、上側表示体１０Ａと下側表示体１０Ｂとの接合界面に遮光性塗料を塗布して両者（１０Ａ，１０Ｂ）を直接接合すると良い。
【００４１】
上記構成のホールランタン１をエレベータ７１のホール７４側及び出入口７２側に面した乗場三方枠７３に設置する場合、三方枠７３の一部として予め埋設された樹脂組成物を表示体１０として用いることができ、しかも発光ダイオード５０を内設するだけなので、簡易な工事により設置することが可能となり、また、発光ダイオード５０の設置場所の確保が不要となるので、狭い場所に設置することが可能となる。
【００４２】
しかも、発光ダイオード５０は、表示体１０に嵌合された状態において、照射部５１が内部嵌合穴部１６Ａの前面部１７を照射すると共に、内部嵌合穴部１６Ａの周辺部１８も照射するので、表示体１０の全体が発光ダイオード５０の色に変色する。よって、ホールランタン１の点灯を確認するとき、出入口７２側から見る場合はもちろん、ホール７４側から見る場合であっても表示体１０が発光ダイオード５０の色に変色しているのが分かり、正面からだけでなく側面から見た場合でも点灯を確認することが可能となる。
【００４３】
第４実施態様：
第４実施形態は、エレベータのホール側に面した壁の一部として埋設された樹脂組成物を表示体とした表示器具１をインジケータとして用いた場合であり、第３実施態様と表示体１０が異なる以外は、構成が同じであるので異なる部分について説明する。
【００４４】
図６（１）は、第４実施形態におけるインジケータ１の正面図、（２）は側面図である。第４実施形態の表示体１０は、エレベータのホール側の壁の一部を形成するようにホール側に面して埋設されていて、表示体１０の表面１４にエレベータの移動している階数を示す数字１９が表示されている。また、表示体１０は、第３実施形態のように上側表示体と下側表示体とに分かれていないで一体となっているが、横方向に連続して複数個の表示体１０が連結されていて、各表示体１０の間には、遮光を目的として金属製の仕切り４３が挟まれている。なお仕切りを用いないときは、接合界面に遮光性塗料を塗布して接合するとよい。また、裏面１５には、発光ダイオード５０を嵌合させる嵌合穴部１６が各表示体１０に形成されている。嵌合穴部１６は、表面１４側の発光ダイオード５０の照射部５１が嵌合される内部嵌合穴部１６Ａと裏面１５側の発光ダイオード５０の基盤５２が嵌合される裏面側嵌合穴部１６Ｂとから構成されている。
【００４５】
従って、上記構成のインジケータも第３実施形態と同様で、発光ダイオード５０を表示体１０に内設することが可能となるので光源の設置場所が不要となり、狭い場所に設置でき、簡易な工事が可能となる。
【００４６】
尚、第４実施態様は、エレベータのホール側に面した壁の一部として埋設された樹脂組成物を表示体とした表示器具１の場合を説明したが、乗りかご内の壁の一部として埋設された樹脂組成物を表示体とし、その表示体に発光ダイオードを内設させて店内案内掲示板・インジケータ等の表示器具並びに照明器具等に用いることが出来るのは言うまでもない。
【００４７】
第５実施態様：
第５実施形態は、エレベータのホール側に面した壁の一部として埋設された樹脂組成物を表示体として用いるのではなく、別個の樹脂組成物を表示体とし、各表示体を複数個横に連結した場合であり、第４実施態様とは表示体が異なるだけである。即ち、表示体は壁面に事前に埋設されているのではなく別個に独立したものであり、その各表示体に第４実施態様と同様に発光ダイオードを内設した表示器具であり、その表示器具を店内案内掲示板として用いた場合である。
【００４８】
この場合には、表示器具が別個に独立しているので、設置場所を適宜選択することが可能となる。即ち、エレベータの乗りかご内に後日凹部を形成し、設置することが可能となる。しかも、発光ダイオードは表示体に内設されているので、形成されている凹部の奥行きを浅くすることができ、簡易な工事で容易に設置することが可能となる。
【図面の簡単な説明】
【００４９】
【図１】本発明の第１実施形態に係るホールランタンの分解斜視図であり、（１）表示体、（２）発光ダイオード、（３）基部である。
【図２】図１に係るホールランタンの組み立て前の側面図であり、（１）表示体、（２）発光ダイオード、（３）基部である。
【図３】図１に係るホールランタンを組み立てた状態における、（１）正面から見た説明図、（２）側面から見た説明図である。
【図４】第３実施形態に係るホールランタンが取付けられているエレベータの乗り場周辺を示した斜視図である。
【図５】図４に係るホールランタンを乗場三方枠に取付けた状態を上方より見た説明図である。
【図６】第４実施形態に係るインジケータの（１）は正面図、（２）は側面図である。
【図７】ホールランタンの設置状態を示す説明図である。
【図８】従来例に係るホールランタンの拡大斜視図である。
【図９】図５に係るホールランタンの取付状態を示す断面説明図である。
【図１０】別の従来例２に係るホールランタンの取付状態を示す断面説明図である。
【図１１】別の従来例３に係るホールランタンの取付状態を示す断面説明図である。
【符号の説明】
【００５０】
１                ホールランタン（表示器具）
１０，３０，４０  表示体
１１              突設部
１２              凹部
１６，３２        嵌合穴部
１７，３５        前面部
１８，３６        周辺部
２０              基部
４３              仕切り
５０              発光ダイオード（ＬＥＤ）
５１              照射部
５２              基盤
６０              壁の表面（板状体の表面）
７２              出入口
７３              乗場三方枠
７４              ホール
【図１】
2008250293.tif 000003
【図２】
2008250293.tif 000004
【図３】
2008250293.tif 000005
【図４】
2008250293.tif 000006
【図５】
2008250293.tif 000007
【図６】
2008250293.tif 000008
【図７】
2008250293.tif 000009
【図８】
2008250293.tif 000010
【図９】
2008250293.tif 000011
【図１０】
2008250293.tif 000012
【図１１】
2008250293.tif 000013
【手続補正書】
【提出日】平成20年2月19日(2008.2.19)
【手続補正１】
【補正対象書類名】図面
【補正対象項目名】図８
【補正方法】変更
【補正の内容】
【図８】
2008250293.tif 000014
【手続補正２】
【補正対象書類名】図面
【補正対象項目名】図９
【補正方法】変更
【補正の内容】
【図９】
2008250293.tif 000015
【手続補正３】
【補正対象書類名】図面
【補正対象項目名】図１０
【補正方法】変更
【補正の内容】
【図１０】
2008250293.tif 000016